(57)【要約】      （修正有）【課題】レンズのメガネフレームのレンズ取付け部への取り付け、取り外しを容易にする。【解決手段】ねじ締結体５は、レンズ取付け部１とレンズ３の表面との間に介装されるとともに、一部がレンズ３の取付け孔４内に嵌合されるブッシュ６と、レンズ取付け部１及びブッシュ６を挿通して先端部がレンズ３の裏面側に突出するボルト９と、ボルト９のレンズ３の裏面から突出している部分に装着されるリング１２及びワッシャ１３と、ワッシャ１３の外側のボルト９の部分に締結されるとともに、一部がワッシャ１３及びリング１２の内側を挿通してレンズ３の取付け孔４内に嵌合されるナット１５とを備える。ナット１５をボルト９に締結させることにより、ナット１５の一部がリング１２の内側に圧入され、ボルト９がブッシュ６の内側に圧入される。【選択図】図３
2008008958.tif 000002
【特許請求の範囲】
【請求項１】
メガネフレームのレンズ取付け部にねじ締結体によりレンズを取り付けるレンズ取付け部の構造であって、
前記ねじ締結体は、前記レンズ取付け部と前記レンズの表面又は裏面との間に介装されるとともに、一部が前記レンズの取付け孔内に嵌合されるブッシュと、
前記レンズ取付け部及び前記ブッシュを挿通して先端部が前記レンズの裏面又は表面側に突出するボルトと、
該ボルトの前記レンズの裏面又は表面から突出している部分に装着されるリング及びワッシャと、
該リング及びワッシャの外側の前記ボルトの部分に締結されるとともに、一部が前記ワッシャ及び前記リングの内側を挿通して前記レンズの取付け孔内に嵌合されるナットとを備え、
前記ナットを前記ボルトに締結させることにより、前記ナットの一部が前記リングの内側に圧入され、前記ボルトが前記ブッシュの内側に圧入されるように構成したことを特徴とするメガネフレームのレンズ取付け部の構造。
【請求項２】
前記ブッシュ及び前記リングは合成樹脂材から形成され、前記ボルト及び前記ナットは金属材から形成されていることを特徴とする請求項１に記載のメガネフレームのレンズ取付け部の構造。
【発明の詳細な説明】
【技術分野】
【０００１】
本発明は、メガネフレームのレンズ取付け部の構造に関し、特に、ツーポイントタイプのメガネフレームに有効なメガネフレームのレンズ取付け部の構造に関する。
【背景技術】
【０００２】
メガネフレームには種々のタイプのものがあり、例えば、一対のレンズの内縁部間を支持するブリッジと、各レンズの外縁部を支持するヨロイと、各ヨロイに蝶番を介して回動自在に取り付けられるテンプルと、各レンズの内縁部に取り付けられるノーズパッドとを備えたツーポイントタイプのメガネフレームが知られている（例えば、特許文献１参照。）。
【０００３】
このような構成のメガネフレームにあっては、店頭等において陳列する場合に、ダミーレンズを取り付けた状態で陳列するとともに、消費者が購入した場合には、ダミーレンズを視力矯正用レンズ、紫外線除去用レンズ等のレンズに取り換えて、消費者に引き渡している。
【０００４】
この場合、ダミーレンズ、視力矯正用レンズ、紫外線除去用レンズ等のレンズは、メガネフレームのブリッジ及び各ヨロイにねじ締結体によって着脱自在に取り付けられ、ねじ締結体を締め付けたり、緩めたりすることにより、取り付けたり、取り外したりすることができる。
【特許文献１】特開平９−２１８３８０号公報
【発明の開示】
【発明が解決しようとする課題】
【０００５】
ところで、上記のような構成のメガネフレームにあっては、図５及び図６に示すように、ねじ締結体３５は、レンズ３の取付け孔４内に表面側及び裏面側からそれぞれ先端部が嵌合される一対のブッシュ３６、３６と、ブリッジ及びヨロイのレンズ取付け部３１、及び一対のブッシュ３６、３６を挿通して先端部がレンズ３の裏面側に突出するボルト３９と、レンズ３の裏面側に突出しているボルト３９の先端部に金属製のワッシャ４３を介して締結されるナット４５とから構成されている。このため、部品点数が多く、しかも各部品は非常に小型であるため、各部品を所定の位置に装着するのに細かい手作業が必要になり、レンズの取り付け、取り外しに非常に手間がかかってしまう。また、各部品が小型であるため、レンズ３の取り付け、取り外しの作業の際になくしてしまう虞があり、部品の取り扱いに非常に神経を使うことになり、手間のかかる作業になってしまう。
【０００６】
本発明は、上記のような従来の問題に鑑みなされたものであって、レンズの取り付け、取り外しを容易に行うことができるとともに、レンズの取り付け、取り外しの際に部品をなくしてしまうようなことがない、メガネフレームのレンズ取付け部の構造を提供することを目的とする。
【課題を解決するための手段】
【０００７】
上記のような課題を解決するために、本発明は、以下のような手段を採用している。
すなわち、請求項１に係る発明は、メガネフレームのレンズ取付け部にねじ締結体によりレンズを取り付けるレンズ取付け部の構造であって、前記ねじ締結体は、前記レンズ取付け部と前記レンズの表面又は裏面との間に介装されるとともに、一部が前記レンズの取付け孔内に嵌合されるブッシュと、前記レンズ取付け部及び前記ブッシュを挿通して先端部が前記レンズの裏面又は表面側に突出するボルトと、該ボルトの前記レンズの裏面又は表面から突出している部分に装着されるリング及びワッシャと、該リング及びワッシャの外側の前記ボルトの部分に締結されるとともに、一部が前記ワッシャ及び前記リングの内側を挿通して前記レンズの取付け孔内に嵌合されるナットとを備え、前記ナットを前記ボルトに締結させることにより、前記ナットの一部が前記リングの内側に圧入され、前記ボルトが前記ブッシュの内側に圧入されるように構成したことを特徴とする。
【０００８】
本発明によるメガネフレームのレンズ取付け部の構造によれば、メガネフレームのレンズ取付け部にねじ締結体によりレンズを取り付けることにより、ナットの一部がリングの内側に圧入され、ボルトがブッシュの内側に圧入されることになる。従って、ナットを緩めてボルトから外した場合に、ナットとリング及びブッシュとを一体化することができるとともに、ボルトとレンズ取付け部とブッシュとを一体化することができるので、レンズの取り付け、取り外しの際に個々の部品がバラバラになるようなことはなく、レンズの取り付け、取り外し作業を容易に行うことができるととともに、部品をなくしてしまうようなこともなくなる。
【０００９】
請求項２に係る発明は、請求項１に記載のメガネフレームのレンズ取付け部の構造であって、前記ブッシュ及び前記リングは合成樹脂材から形成され、前記ボルト及び前記ナットは金属材から形成されていることを特徴とする。
【００１０】
本発明によるメガネフレームのレンズ取付け部の構造によれば、合成樹脂材から形成されるブッシュの内側に金属材から形成されるボルトが圧入され、金属材から形成されるナットの一部が合成樹脂材から形成されるリングの内側に圧入されることにより、ボルトとブッシュとが一体化されるとともに、ナットとリング及びワッシャとが一体化されることになる。
【発明の効果】
【００１１】
以上、説明したように、本発明のメガネフレームのレンズ取付け部の構造によれば、メガネフレームのレンズ取付け部にねじ締結体によりレンズを取り付けることにより、ナットの一部がリングの内側に圧入され、ボルトがブッシュの内側に圧入されることになる。従って、ナットを緩めてボルトから外した場合に、ナットとリング及びワッシャとを一体化とすることができるとともに、ボルトとレンズ取付け部とブッシュとを一体化することができるので、レンズの取り付け、取り外しの際に個々の部品がバラバラになるようなことはなく、レンズの取り付け、取り外し作業を容易に行うことができるとともに、部品をなくしてしまうようなことがなくなる。
【発明を実施するための最良の形態】
【００１２】
以下、図面に示す本発明の実施の形態について説明する。
図１〜図４には、本発明によるメガネフレームのレンズ取付け部の構造の一実施の形態が示されていて、図１はレンズ取付け部とレンズとねじ締結体との関係を示す説明図、図２はレンズ取付け部とレンズとを一体化した状態を示す説明図、図３はレンズ取付け部とレンズとを分離させた状態を示す説明図、図４はレンズ取付け部とレンズとを再び一体化した状態を示す説明図である。
【００１３】
すなわち、本実施の形態に示すメガネフレームのレンズ取付け部の構造は、ツーポイントタイプのメガネフレームに有効なものであって、ツーポイントタイプのメガネフレームのレンズ取付け部にダミーレンズ、視力矯正用レンズ、紫外線除去用レンズ等の各種のレンズを着脱自在に取り付けるのに有効なものである。
【００１４】
ツーポイントタイプのメガネフレームは、例えば、一対のレンズの内縁部間を支持するブリッジと、各レンズの外縁部を支持するヨロイと、各ヨロイに蝶番を介して回動自在に連結されるテンプルと、各テンプルの先端部に取り付けられるモダンと、各レンズの内縁部に取り付けられるノーズパッドとを備えている。
【００１５】
ブリッジは、棒状をなすものであって、両端部にレンズ取付け部が一体に設けられ、各レンズ取付け部にはそれぞれレンズを取り付けるための取付け孔が貫通した状態で設けられ、この取付け孔とレンズ側の取付け孔とを利用して、各取付け部にねじ締結体を介して各レンズの内縁部が取り付けられる。
【００１６】
ヨロイ２０は、図１〜図４に示すように、略Ｌ形状をなすものであって、一端部にレンズ取付け部１が一体に設けられ、このレンズ取付け部１にレンズ３を取り付けるための取付け孔２が貫通した状態で設けられ、この取付け孔２とレンズ３の取付け孔４とを利用して、レンズ取付け部１にねじ締結体５を介してレンズ３の外縁部が取り付けられる。ヨロイ２０の他端部には蝶番２１が一体に設けられ、この蝶番２１に棒状のテンプル（図示せず）の一端部が回動自在に連結されている。テンプルの他端部には樹脂製のモダン（図示せず）が一体に設けられている。
なお、ブリッジのレンズ取付け部とヨロイ２０のレンズ取付け部１とは同一構成を有しているので、以下、ヨロイ２０のレンズ取付け部１を例にとって説明し、ブリッジのレンズ取付け部の説明は省略するものとする。
【００１７】
ねじ締結体５は、レンズ３の表面側からレンズ３の取付け孔４内に先端部が嵌合されるブッシュ６と、ヨロイ２０の表面側からレンズ取付け部１の取付け孔２及びブッシュ６の内側を挿通して先端部がレンズ３の裏面側に突出するボルト９と、レンズ３の裏面側から突出しているボルト９のねじ部１１に装着されるリング１２及びワッシャ１３と、ワッシャ１３の外側のボルト９のねじ部１１に締結されるナット１５とを備えている。
【００１８】
ブッシュ６は、合成樹脂から形成されるものであって、筒状の本体部７と、本体部７の長手方向の一端部外周側に一体に設けられる、径方向外方に環状に張り出るフランジ部８とからなり、本体部７をレンズ３の取付け孔４内に表面側から嵌合させた状態で、フランジ部８がレンズ取付け部１の裏面とレンズ３の表面との間に介装される。
【００１９】
ブッシュ６の本体部７は、フランジ部８と反対側の内径がボルト９のねじ部１１の外径よりも小さく設定されている。これにより、ブッシュ６の本体部７の内側にボルト９のねじ部１１を挿通させたときに、本体部７の内径の小さい部分が押し広げられるように拡径し、ブッシュ６がボルト９のねじ部１１の外周側に固定される。
【００２０】
リング１２は、合成樹脂から形成される環状をなすものであって、このリング１２の内側を後述するナット１５の本体部１６が挿通するように構成されている。リング１２は、内径が後述するナット１５の本体部１６の外径よりも小さく設定され、リング１２の内側に後述するナット１５の本体部１６を挿通させたときに、このリング１２が押し広げられるように拡径し、ナット１５の本体部１６の外周側に固定される。
【００２１】
ワッシャ１３は、金属から形成される環状をなすものであって、リング１２の外側に重ねられた状態で設けられ、このワッシャ１３の内側を後述するナット１５の本体部１６が挿通する。ワッシャ１３は、リング１２がナット１５の本体部１６の外周側に固定されることにより、リング１２とナット１５の六角レンチ掛け部１８との間に保持される。
【００２２】
ナット１５は、金属から形成されるものであって、内周面にねじ部１７が螺設される筒状の本体部１６と、本体部１６の一端部外周側に一体に設けられる、径方向外方に環状に張り出る六角形状の六角レンチ掛け部１８とからなり、本体部１６が前述したワッシャ１３及びリング１２の内側を挿通して、レンズ３の取付け孔４内に裏面側から嵌合され、この本体部１６の内周側のねじ部１７にボルト９のねじ部１１が螺合される。
【００２３】
ボルト９のねじ部１１をナット１５の本体部１６のねじ部１７に螺合させ、ボルト９とナット１５とを所定のトルクで相互に締め付けることにより、ボルト９の頭部１０とナット１５の六角レンチ掛け部１８との間でブッシュ６、リング１２及びワッシャ１３を介してレンズ取付け部１とレンズ３とが締結され、レンズ取付け部１にレンズ３の外縁部が取り付けられる。
【００２４】
また、ナット１５とボルト９とを相互に緩めることにより、本体部１６にワッシャ１３及びリング１２が固定された状態でナット１５をボルト９から取り外すことができるとともに、ボルト９がブッシュ６を介してレンズ取付け部１に固定された状態で、レンズ取付け部１からレンズ３を取り外すことができる。
【００２５】
上記のように構成した本実施の形態によるメガネフレームのレンズ取付け部の構造にあっては、レンズ取付け部１にねじ締結体５によってレンズ３の外縁部を取り付けることにより、ねじ締結体５のボルト９のねじ部１１にブッシュ６を固定でき、ナット１５の本体部１６にリング１２及びワッシャ１３を固定することができるので、レンズ３を取り外す際にナット１５を緩めた場合に、ナット１５の本体部１６にリング１２及びワッシャ１３を固定した状態で、ナット１５をボルト９のねじ部１１から取り外すことができ、ボルト９及びブッシュ６をレンズ取付け部１に固定した状態でレンズ３から取り外すことができる。
【００２６】
従って、レンズ３を取り外したり、取り付けたりする際に、ねじ締結体５の各部品がバラバラになるようなことはなく、ボルト９側の部品とナット１５側の部品の２つに分離することができるので、レンズ３の取り外し、取り付け作業を容易にすることができるとともに、レンズ３の取り外し、取り付けの作業の際に部品をなくしてしまうようなことはない。
【００２７】
なお、前記の説明においては、レンズ取付け部１をレンズ３の表面側に配置した例について説明したが、レンズ取付け部１をレンズ３の裏面側に配置し、ねじ締結体５のボルト９をレンズ３の裏面側から表面側に突出させるように構成してもよいし、その場合にも、前述した例と同様の作用効果を奏する。
【００２８】
また、前記の説明においては、ねじ締結体５のボルト９とナット１５とを相互に締め付けることにより、ボルト９のねじ部１１にブッシュ６を固定し、ナット１５の本体部１６にリング１２及びワッシャ１３を固定するように構成したが、予めボルト９のねじ部１１にブッシュ６を固定し、ナット１５の本体部にリング１２及びワッシャ１３を固定しておいてもよい。
【図面の簡単な説明】
【００２９】
【図１】本発明によるメガネフレームのレンズ取付け部の構造の一実施の形態を示した説明図であって、レンズ取付け部とレンズとねじ締結体との関係を示した説明図である。
【図２】レンズ取付け部とレンズとを一体化した状態を示した説明図である。
【図３】レンズ取付け部とレンズとを分離した状態を示した説明図である。
【図４】レンズ取付け部とレンズとを再び一体化した状態を示した説明図である。
【図５】従来のメガネフレームのレンズ取付け部の構造の一例を示した説明図であって、レンズ取付け部とレンズとねじ締結体との関係を示した説明図である。
【図６】図５のレンズ取付け部とレンズとを一体化した状態を示した説明図である。
【符号の説明】
【００３０】
１、３１  レンズ取付け部
２  取付け孔
３  レンズ
４  取付け孔
５、３５  ねじ締結体
６、３６  ブッシュ
７  本体部
８  フランジ部
９、３９  ボルト
１０  頭部
１１  ねじ部
１２  リング
１３、４３  ワッシャ
１５、４５  ナット
１６  本体部
１７  ねじ部
１８  六角レンチ掛け部
２０  ヨロイ
２１  蝶番
【図１】
2008008958.tif 000003
【図２】
2008008958.tif 000004
【図３】
2008008958.tif 000005
【図４】
2008008958.tif 000006
【図５】
2008008958.tif 000007
【図６】
2008008958.tif 000008